【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】    【請求項１】構造体における固定交差接続において、ａ．第１及び第２の縦側面を有する細長い縦部材、ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、ｄ．前記第１及び第２細長い横部材を前記細長い縦部材に固く繋ぐための形状をした一体作り剛タイであり、前記タイは、１．前記細長い縦部材の前記第１の縦側面の一部分と重ねて配置された第１の縦側面取付タブ、２．前記第１の細長い横部材の前記第１の底面の一部分と重ねて配置された第１の底面取付タブ、３．前記第１の縦側面取付タブ及び前記第１の底面取付タブと一体にかつそれらの間に形成され、前記第１の側面取付タブまたは前記第１の底面取付タブのいずれとも異なる平面内にある第１の控え板、４．前記細長い縦部材の前記第２の縦側面の一部分と重ねて配置された第２の縦側面取付タブ、５．前記第２の細長い横部材の前記第２の底面の一部分と重ねて配置された第２の底面取付タブ、６．前記第２の縦側面取付タブ及び前記第２の底面取付タブと一体にかつそれらの間に形成され、前記第２の控え板は前記第２側部取付けタブまたは前記第２の底面取付タブのいずれとも異なる平面内にある第２の控え板、７．前記第１の細長い横部材の前記第１の側面の一部分と重ねて配置された第１の側面取付タブ、８．前記第２の細長い横部材の前記第２側面の一部分と重ねて配置された第２の側面取付タブ、９．前記第１の側面取付タブと前記第２の側面取付タブと一体にかつそれらの間に形成され、前記第１の側面取付けタブまたは前記第２の側面取付けタブのいずれとも異なる平面内にある第３の控え板、１０．前記第１の控え板、前記第２の控え板及び前記第３の控え板を接続するウェブ部材を備え、ｅ．前記第１の縦側面取付タブを前記細長い縦部材の前記第１の縦側面に取付ける第１の締め具、ｆ．前記第１の底面取付タブを前記第１の細長い横部材の前記第１の底面に取付ける第２の締め具、ｇ．前記第２の縦側面取付タブを前記細長い縦部材の前記第２の縦側面に取付ける第３の締め具、ｈ．前記第２の底面取付タブを前記第２の細長い横部材の前記第２の底面に取付ける第４の締め具、ｉ．前記第１の側面取付タブを前記第１の細長い横部材の前記第１の側面に取付ける第５の締め具、及びｊ．前記第２の側面取付タブを前記第２の細長い横部材の前記第２の側面に取付ける第６の締め具、を備える構造体における剛交差継手。    【請求項２】前記ウェブ部材の形が三角形である請求項１に記載の継手。    【請求項３】前記ウェブ部材が前記第１、第２及び第３の控え板に一体に接続されている請求項１に記載の継手。    【請求項４】前記第１、第２及び第３の控え板の形が三角形である請求項１に記��の継手。    【請求項５】前記ウェブ部材が前記第１、第２及び第３の控え板に一体に接続されている請求項２に記載の継手。    【請求項６】前記第１、第２及び第３の控え板の形が三角形である請求項５に記載の継手。    【請求項７】前記第１、第２及び第３の控え板の形が矩形である請求項１に記載の継手。    【請求項８】前記第１、第２、および、第３の控え板は、ほぼ平坦な部材である請求項１に記載の継手。    【請求項９】構造体における固定交差接続において、ａ．第１及び第２の縦側面を有する細長い縦部材、ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、ｄ．前記第１及び第２細長い横部材を前記細長い縦部材に固く繋ぐための形状をした一体作り剛タイであり、前記タイは、１．前記細長い縦部材の前記第１の縦側面の一部分と重ねて配置された第１の縦側面取付タブ、２．前記第１の細長い横部材の前記第１の底面の一部分と重ねて配置された第１の底面取付タブ、３．前記第１の縦側面取付タブ及び前記第１の底面取付タブと一体にかつそれらの間に形成された第１の控え板、４．前記細長い縦部材の前記第２の縦側面の一部分と重ねて配置された第２の縦側面取付タブ、 ５．前記第２の細長い横部材の前記第２の底面の一部分と重ねて配置された第２の底面取付タブ、６．前記第２の縦側面取付タブ及び前記第２の底面取付タブと一体にかつそれらの間に形成された第２の控え板、７．前記第１の細長い横部材の前記第１の側面の一部分と重ねて配置された第１の側面取付タブ、８．前記第２の細長い横部材の前記第２側面の一部分と重ねて配置された第２の側面取付タブ、９．前記第１の側面取付タブと前記第２の側面取付タブと一体にかつそれらの間に形成された第３の控え板、１０．前記第１の控え板、前記第２の控え板及び前記第３の控え板を接続するウェブ部材を備え、ｅ．前記第１の縦側面取付タブを前記細長い縦部材の前記第１の縦側面に取付ける第１の締め具、ｆ．前記第１の底面取付タブを前記第１の細長い横部材の前記第１の底面に取付ける第２の締め具、ｇ．前記第２の縦側面取付タブを前記細長い縦部材の前記第２の縦側面に取付ける第３の締め具、ｈ．前記第２の底面取付タブを前記第２の細長い横部材の前記第２の底面に取付ける第４の締め具、ｉ．前記第１の側面取付タブを前記第１の細長い横部材の前記第１の側面に取付ける第５の締め具、及びｊ．前記第２の側面取付タブを前記第２の細長い横部材の前記第２の側面に取付ける第６の締め具、を備える構造体における剛交差継手。    【請求項１０】ａ．前記第１の控え板が、前記第１の側面取付けタブまたは前記第１の底面取付けタブのいずれとも異なる平面内に位置し、ｂ．前記第２の控え板が���前記第２側部取付けタブまたは前記第２のベースサイド取付けタブいずれとも異なる平面内に位置し、および、ｃ．前記第３の控え板は、前記第１の側面取付けタブまたは前記第２の側面取付けタブのいずれとも異なる平面内にある請求項９に記載の継手。    【請求項１１】前記第１、第２および第３の控え板は、ほぼ平坦な部材である請求項９に記載の継手。    【請求項１２】構造体における固定交差接続において、ａ．第１及び第２の縦側面を有する細長い縦部材、ｂ．第１の底面、第１の側面、及び第１の端を有する第１の細長い横部材であり、前記第１の細長い横部材は、前記第１の細長い横方向の部材の前記第１の端が第１のジョイントを形成し、前記細長い縦の部材の前記第１の側面と合うように前記細長い縦部材と交差し、ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、ｄ．前記第１及び第２細長い横部材を前記細長い縦部材に固く繋ぐための形状をした一体作り剛タイであり、前記タイは、１．前記第１の側面取付けタブが前記第１の細長い横方向の部材の前記第１の端と整列配置するように、前記細長い縦部材の前記第１の縦側面の一部分と重ねて配置された第１の縦側面取付タブ、２．前記第１の細長い横部材の前記第１の底面の一部分と重ねて配置された第１の底面取付タブ、３．前記第１の縦側面取付タブ及び前記第１の底面取付タブと一体にかつそれらの間に形成された第１の控え板、４．前記第２の側面取付けタブが前記第２の細長い横方向の部材の前記第２の端と整列配置するように、前記細長い縦部材の前記第２の縦側面の一部分と重ねて配置された第２の縦側面取付タブ、５．前記第２の細長い横部材の前記第２の底面の一部分と重ねて配置された第２の底面取付タブ、６．前記第２の縦側面取付タブ及び前記第２の底面取付タブと一体にかつそれらの間に形成された第２の控え板、７．前記第１の細長い横部材の前記第１の側面の一部分と重ねて配置された第１の側面取付タブ、８．前記第２の細長い横部材の前記第２側面の一部分と重ねて配置された第２の側面取付タブ、９．前記第１の側面取付タブと前記第２の側面取付タブと一体にかつそれらの間に形成された第３の控え板、１０．前記第１の控え板、前記第２の控え板及び前記第３の控え板を接続するウェブ部材を備え、ｅ．前記第１の縦側面取付タブを前記細長い縦部材の前記第１の縦側面に取付ける第１の締め具、ｆ．前記第１の底面取付タブを前記第１の細長い横部材の前記第１の底面に取付ける第２の締め具、ｇ．前記第２の縦側面取付タブを前記細長い縦部材の前記第２の縦側面に取付ける第３の締め具、ｈ．前記第２の底面取付タブを前記第２の細長い横部材の前記第２の底面に取付ける第４の締め具、ｉ．前記第１の側面取付タブを前記第１の細長い横部材の前記第１の側面に取付ける第５の締め具、及びｊ．前記第２の側面取付タブを前記第２の細長い横部材の前記第２の側面に取付ける第６の締め具、を備える構造体における剛交差継手��    【請求項１３】構造体における固定交差接続において、ａ．第１及び第２の縦側面を有する細長い縦部材、ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、ｄ．前記第１及び第２細長い横部材を前記細長い縦部材に固く繋ぐための形状をした一体作り剛タイであり、前記タイは、１．前記細長い縦部材の前記第１の縦側面の一部分と重ねて配置された第１の縦側面取付タブ、２．前記第１の細長い横部材の前記第１の底面の一部分と重ねて配置された第１の底面取付タブ、３．前記第１の縦側面取付タブ及び前記第１の底面取付タブと一体にかつそれらの間に形成された第１の三角控え板、４．前記細長い縦部材の前記第２の縦側面の一部分と重ねて配置された第２の縦側面取付タブ、５．前記第２の細長い横部材の前記第２の底面の一部分と重ねて配置された第２の底面取付タブ、６．前記第２の縦側面取付タブ及び前記第２の底面取付タブと一体にかつそれらの間に形成された第２の三角控え板、７．前記第１の細長い横部材の前記第１の側面の一部分と重ねて配置された第１の側面取付タブ、８．前記第２の細長い横部材の前記第２側面の一部分と重ねて配置された第２の側面取付タブ、９．前記第１の側面取付タブと前記第２の側面取付タブと一体にかつそれらの間に形成された第３の三角控え板、１０．前記第１の控え板、前記第２の控え板及び前記第３の控え板を接続するウェブ部材を備え、ｅ．前記第１の縦側面取付タブを前記細長い縦部材の前記第１の縦側面に取付ける第１の締め具、ｆ．前記第１の底面取付タブを前記第１の細長い横部材の前記第１の底面に取付ける第２の締め具、ｇ．前記第２の縦側面取付タブを前記細長い縦部材の前記第２の縦側面に取付ける第３の締め具、ｈ．前記第２の底面取付タブを前記第２の細長い横部材の前記第２の底面に取付ける第４の締め具、ｉ．前記第１の側面取付タブを前記第１の細長い横部材の前記第１の側面に取付ける第５の締め具、及びｊ．前記第２の側面取付タブを前記第２の細長い横部材の前記第２の側面に取付ける第６の締め具を備える構造体における剛交差継手。    【請求項１４】構造体における固定交差接続において、ａ．第１及び第２の縦側面を有する細長い縦部材、ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、ｄ．前記第１及び第２細長い横部材を前記細長い縦部材に固く繋ぐための形状をした一体作り剛タイであり、前記タイは、１．前記細長い縦部材の前記第１の縦側面の一部分と重ねて配置された第１の縦側面取付タブ、２．前記第１の細長い横部材の前記第１の底面の一部分と重ねて配置された第１の底面取付タブ、３．前記第１の縦側面取付タブ及び前記第１の底面取付タブと一体にかつそれらの間に形成された第１の矩形控え板、４．前記細長い縦部材の前記第２の縦側面の一部分と重ねて配置された第２の縦側面取付タブ、５．前記第２の細長い横部材の前記第２の底面の一部分と重ねて配置された第２の底面取付タブ、６．前記第２の縦側面取付タブ及び前記第２の底面取付タブと一体にかつそれらの間に形成された第２の矩形控え板、７．前記第１の細長い横部材の前記第１の側面の一部分と重ねて配置された第１の側面取付タブ、８．前記第２の細長い横部材の前記第２側面の一部分と重ねて配置された第２の側面取付タブ、９．前記第１の側面取付タブと前記第２の側面取付タブと一体にかつそれらの間に形成された第３の矩形控え板、１０．前記第１の控え板、前記第２の控え板及び前記第３の控え板を接続するウェブ部材を備え、ｅ．前記第１の縦側面取付タブを前記細長い縦部材の前記第１の縦側面に取付ける第１の締め具、ｆ．前記第１の底面取付タブを前記第１の細長い横部材の前記第１の底面に取付ける第２の締め具、ｇ．前記第２の縦側面取付タブを前記細長い縦部材の前記第２の縦側面に取付ける第３の締め具、ｈ．前記第２の底面取付タブを前記第２の細長い横部材の前記第２の底面に取付ける第４の締め具、ｉ．前記第１の側面取付タブを前記第１の細長い横部材の前記第１の側面に取付ける第５の締め具、及びｊ．前記第２の側面取付タブを前記第２の細長い横部材の前記第２の側面に取付ける第６の締め具、を備える構造体における剛交差継手。